(57)【要約】【課題】綴じ具が、常温状態で複数の原稿を綴じる形状を有し、加熱状態で原稿束を開放する形状に変形する形状記憶合金で構成され、この綴じ具が原稿端辺のさまざまな位置にあっても除去できる綴じ具除去装置および該綴じ具除去装置を備えた原稿読取装置を提供する。【解決手段】この綴じ具除去装置は、常温状態で複数の原稿を綴じる形状を有し、加熱状態で原稿束を開放する形状に変形する形状記憶合金で構成された綴じ具を除去する場合、綴じ具の位置に検知して、綴じ具を加熱し、原稿束を開放する形状に変形してから、綴じ具を吸着して除去し、この綴じ具を回収箱に回収する。回収した綴じ具は冷却手段で冷却して原稿束を綴じる形状に戻す。また、原稿読取装置は、原稿読取開始が指示されると原稿載置台に載置された原稿の先端の綴じ具の有無を検出し、上記の綴じ具除去装置により、綴じ具を除去し、原稿が綴じられていない状態にしてから原稿搬送を開始する。【選択図】図２
2008254867.tif 000002
【特許請求の範囲】
【請求項１】
常温状態で複数の原稿を綴じる形状を有し、加熱状態で原稿束を開放する形状に変形する形状記憶合金で構成された綴じ具を除去する綴じ具除去装置であって、前記綴じ具の位置を検知する検知手段と、前記綴じ具を加熱する加熱手段と、前記綴じ具を磁力により吸着する吸着手段と、前記検知手段、前記加熱手段および前記吸着手段を移動させる移動手段と、前記移動手段の動作を制御する制御手段と、を備え、前記制御手段は、前記検知手段で検知した前記綴じ具の位置に基づき前記綴じ具を加熱し、原稿束を開放する形状に変形した前記綴じ具を前記吸着手段で吸着して除去するように前記移動手段を制御することを特徴とする綴じ具除去装置。
【請求項２】
請求項１に記載の綴じ具除去装置において、前記検知手段、前記加熱手段および前記吸着手段が綴じ具除去手段として一体的に構成され、前記移動手段は該綴じ具除去手段を移動させることを特徴とする綴じ具除去装置。
【請求項３】
請求項１または２に記載の綴じ具除去装置において、前記綴じ具は、形状記憶合金で構成された綴じ部と、磁性体で構成された吸着部を備えることを特徴とする綴じ具除去装置。
【請求項４】
請求項１乃至３のいずれかに記載の綴じ具除去装置において、前記綴じ具を回収する回収箱と、前記回収箱内に回収した前記綴じ具を冷却する冷却手段と、を備えることを特徴とする綴じ具除去装置。
【請求項５】
請求項４に記載の綴じ具除去装置において、前記回収箱内の温度を検出する温度検知手段を備え、前記制御手段は前記回収箱内の温度に応じて通知を行うことを特徴とする綴じ具除去装置。
【請求項６】
請求項１乃至５のいずれかに記載の綴じ具除去装置を備える原稿読取装置。
【請求項７】
請求項６に記載の原稿読取装置において、原稿読取開始が指示されると原稿載置台に載置された原稿の先端の綴じ具の有無を検出し、前記綴じ具除去装置により、前記綴じ具を除去し、原稿が綴じられていない状態にしてから原稿搬送を開始するよう制御する制御手段を備えることを特徴とする原稿読取装置。
【発明の詳細な説明】
【技術分野】
【０００１】
本発明は、綴じ具除去装置および該綴じ具除去装置を備える原稿読取装置に関し、特に、常温状態で複数の原稿を綴じる形状を有し、加熱状態で原稿束を開放する形状に変形する形状記憶合金で構成された綴じ具を除去する綴じ具除去装置および該綴じ具除去装置を備える原稿読取装置に関する。
【背景技術】
【０００２】
従来、原稿束を綴じる場合、ステープル針の両先端部を、原稿束に貫通させた後、該両先端部を内側に折り曲げることによって行っている。
このステープル針によって綴じられた原稿束を複写する場合には、一々人手により外さなければならなく面倒であり、綴じられた原稿束が数多くある場合には特に、作業能率を著しく低下させるという問題があった。
【０００３】
このような問題点のため、特許文献１の自動原稿搬送装置では、原稿束からステープル針を除去した後に引き続いて分離された原稿を１枚ずつ搬送する第１のモード、原稿束からステープル針の除去のみを行う第２のモード、および原稿束からそのまま原稿を１枚ずつ搬送する第３のモードの内のいずれかのモードを選択的に実行させることができるようにしている。これにより、自動原稿搬送装置を専用の綴じ部材除去装置としても用いることができるようにしている。
【０００４】
また、特許文献２の紙葉類の綴じ具では、この綴じ具を形状記憶合金で構成し、加熱して除去するようにし、綴じ具を外した紙葉類を複写するようにしている。
【特許文献１】特開２００１−６３９１０号公報
【特許文献２】実開昭６２−１１６７３公報
【発明の開示】
【発明が解決しようとする課題】
【０００５】
通常、綴じ具はさまざまな位置で留められるが、上記の従来の技術では、ほぼ一定の場所で綴じられた綴じ具を除去の対象としているため、いろいろな位置にある綴じ具を除去することができない。
【０００６】
本発明は、上述のような実情を考慮してなされたものであって、綴じ具が、常温状態で複数の原稿を綴じる形状を有し、加熱状態で原稿束を開放する形状に変形する形状記憶合金で構成され、この綴じ具が原稿の一辺のさまざまな位置にあっても除去できる綴じ具除去装置および該綴じ具除去装置を備えた原稿読取装置を提供することを目的とする。
【課題を解決するための手段】
【０００７】
上記の課題を解決するために、本発明に係る綴じ具除去装置は、次のような構成を備えている。
綴じ具除去装置は、常温状態で複数の原稿を綴じる形状を有し、加熱状態で原稿束を開放する形状に変形する形状記憶合金で構成された綴じ具を除去するもので、前記綴じ具の位置を検知する検知手段と、前記綴じ具を加熱する加熱手段と、前記綴じ具を磁力により吸着する吸着手段と、前記検知手段、前記加熱手段および前記吸着手段を移動させる移動手段と、前記移動手段の動作を制御する制御手段と、を備え、前記制御手段は、前記検知手段で検知した前記綴じ具の位置に基づき前記綴じ具を加熱し、原稿束を開放する形状に変形した前記綴じ具を前記吸着手段で吸着して除去するように前記移動手段を制御するものである。
【０００８】
前記検知手段、前記加熱手段および前記吸着手段を、綴じ具除去手段として一体的に構成し、さらに、前記綴じ具を、形状記憶合金で構成された綴じ部と、磁性体で構成された吸着部のように構成するようにして、該綴じ具除去手段を前記移動手段で移動させ易くなり、綴じ具を容易に検出し、除去し、回収し易くなる。
【０００９】
さらに、前記綴じ具を回収する回収箱と、前記回収箱内に回収した前記綴じ具を冷却する冷却手段と、を備えるようにして、前記綴じ具を回収するとともに、冷却することによって原状の形状に綴じ具を戻すようにした。
さらに、前記回収箱内の温度を検出する温度検知手段を備え、前記制御手段は前記回収箱内の温度に応じて通知を行うことにより、利用者に加熱された綴じ具が回収箱に存在することを知らしめるようにした。
【００１０】
また、上記のような綴じ具除去装置を備える原稿読取装置の場合には、制御手段では、原稿読取開始が指示されると原稿載置台に載置された原稿の先端の綴じ具の有無を検出し、前記綴じ具除去装置により、前記綴じ具を除去し、原稿が綴じられていない状態にしてから原稿搬送を開始するよう制御するようにし、綴じ具を外す煩わしさを解消することができる。
【発明の効果】
【００１１】
本発明によれば、原稿の一辺のどの位置に綴じ具が留められていても、容易に検出し、除去し、回収することができる。
また、綴じ具除去装置を原稿読取装置に適用した場合、綴じ具で留められた原稿を容易に綴じ状態から開放して、搬送可能な状態にできるので、綴じ具を外す煩わしさを解消することができる。
【発明を実施するための最良の形態】
【００１２】
以下、図面を参照して本発明の綴じ具除去装置および原稿読取装置に係る好適な実施の形態について説明する。
まず、本発明の綴じ具除去装置を備える原稿読取装置の概要について説明する。
図１は、本発明の原稿読取装置の構成例を説明するための図である。同図において、画像読取装置は、プラテンガラスからなる原稿台５１（５１ａ，５１ｂ）を備えている。原稿台５１の上側には、自動原稿搬送装置６０が配設され、原稿台５１の下側にはスキャナ光学系５０が配設される。
【００１３】
スキャナ光学系５０は、原稿画像形成された記録紙（以下単に原稿とする）４０に対して光を照射する光源５２、光電変換素子であるＣＣＤ５５、原稿４０からの反射光をＣＣＤ５５まで導く複数のミラー５３、および原稿４０からの反射光をＣＣＤ５５上に結像させるスルーレンズ５４を備えている。
【００１４】
自動原稿搬送装置６０は、原稿台５１を開放または閉塞する原稿カバーとして機能するように構成されており、原稿４０が積載される原稿トレイ６１と、読取処理が施されて排出される原稿４０を収納する排紙トレイ６２とを備えている。
【００１５】
原稿トレイ６１から送られた原稿４０が原稿読取位置を経由して排紙トレイ６２に排紙されるまでの間には、原稿搬送路６３が形成されている。原稿搬送路６３には、その上流側（原稿トレイ６１側）から、ピックアップローラ６４、捌きローラ６５、レジストローラ６６、搬送ローラ６７、および排紙ローラ６８の各ローラが配設されている。尚、原稿読取位置とは、原稿搬送路６３において原稿台５１ｂに対向する位置であり、上述のスキャナ光学系５０によって原稿４０の画像が読み取られる位置である。
【００１６】
原稿搬送路６３を挟んで捌きローラ６５に対向する位置には、捌き板６９が設けられている。
また、原稿搬送路６３の捌きローラ６５とレジストローラ６６との間には、原稿４０の給紙状態を検出する給紙センサ１２４が配設されている。さらに、原稿搬送路６３を挟んで原稿台５１ｂの反対側には、読取処理が施される原稿４０を原稿台５１ｂの方向に押さえつける原稿押さえ板７２が設けられる。
また、排紙ローラ６８の近傍には、排出される原稿を中間トレイ７４または排紙トレイ６２のいずれかに選択的に案内するための中間トレイ用揺動板（切替ゲート）７３が設けられている。
【００１７】
次に、自動原稿搬送装置６０における原稿の搬送状態を説明する。
原稿トレイ６１に載置された原稿４０は、ピックアップローラ６４によって原稿トレイ６１から取り出され、ピックアップローラ６４の下流側に配置された捌きローラ６５および捌き板６９によって二重送りが防止されて１枚ずつ原稿搬送路６３に送り出される。
【００１８】
原稿搬送路６３上を搬送される原稿４０は、その先端と後端とが給紙センサ１２４によって検出される。そして、原稿４０の先端がレジストローラ６６に当接した状態で原稿４０の搬送が一旦停止される。このように、原稿４０をレジストローラ６６の設置位置で待機させることにより、原稿読取位置に原稿４０を導くタイミングが調整される。
【００１９】
そして、原稿４０を原稿読取位置に導くタイミングになると、レジストローラ６６が駆動され、斜め送り等が防止されつつ原稿４０が原稿読取位置に向けて搬送される。そして、原稿４０は原稿押さえ板７２によって原稿台５１ｂの方向に力を加えられつつ、スキャナ光学系５０によって画像データが読み取られる。
【００２０】
原稿４０の片面のみの画像を読み取る場合（例えば、片面画像形成処理）、切替ゲート７３は実線で示した位置にセットされる。この場合、原稿搬送路６３は、排紙トレイ６２の方向に設定される。そして、原稿読取位置で原稿画像が読み取られた原稿４０は、搬送ローラ６７と排紙ローラ６８とによって搬送され、排紙トレイ６２上に排紙される。排紙ローラ６８の後には、排紙された原稿４０を検出するための排紙センサ１２５が配置されている。
【００２１】
また、原稿４０の両面の画像を読み取る場合（例えば、両面画像形成処理）、切替ゲート７３は図１の点線で示す位置に切り替えられる。そして、原稿読取位置でまず片面側の原稿画像が読み取られると、原稿４０は搬送ローラ６７と排紙ローラ６８によって排出され、切替ゲート７３によって原稿４０は中間トレイ７４に導かれる。
【００２２】
そして、原稿４０の後端が排紙ローラ６８に挾持されている状態で排紙ローラ６８が停止・逆転し、原稿４０が反転搬送され、原稿４０は分岐部７６で再給紙搬送路７５側に導かれ、給紙センサ１２４が配設された原稿搬送路６３を進行する。さらに、原稿トレイ６１からの給紙時と同様に、再びレジストローラ６６によって搬送され、原稿読取位置で裏面側の原稿画像が読み取られる。
【００２３】
このように、両面の画像が読み取られた原稿４０は、搬送ローラ６７および排紙ローラ６８によって排出される。このとき、切替ゲート７３は再び図１の実線位置に切り替えられ、両面の画像が読み取られた原稿４０は、排紙トレイ６２上に排紙される。
【００２４】
以下、綴じ具除去手段４５が設けられた原稿トレイ６１周辺について詳細に説明する。
原稿トレイ６１に載置された原稿４０の搬送方向先端の辺は、綴じ具４４で綴じられている。原稿４０は、原稿昇降板４２が下降した位置で載置される。この状態では、原稿搬送方向先端は、後述する綴じ具除去手段４５に近接した位置となる。原稿昇降板４２は、支持軸４１を中心に回動可能であり、原稿昇降機構（昇降レバー）４３を図示しないモータ等の駆動機構により角度変化させ、原稿昇降板４２を上昇・下降させる。
【００２５】
自動原稿搬送装置６０は、非動作状態では原稿昇降板４２が下降した位置にあり、利用者により原稿読み取りを指示されると原稿昇降機構４３を動作させて原稿４０を上昇させ、ピックアップローラ６４により一番上にある原稿４０をピックアップして給紙する。
【００２６】
本発明では、原稿搬送を開始する前に、原稿昇降機構４３により原稿４０を上昇させ、綴じ具４４の除去処理を実施する。
【００２７】
図２は、本発明の原稿読取装置の一実施の形態を説明するためのブロック図である。
原稿読取装置は、原稿４０を給紙するための給紙部１２１、原稿４０の画像を読み取るための読取部１２２、画像読み取り済の原稿４０を排出するための排紙部１２３、排紙された原稿を貯める排紙トレイ部１３２、および両面画像読取時に原稿４０を反転させて再給紙させる原稿反転部１２０を備えている。
【００２８】
上記の給紙部１２１から排紙部１２３までを総称として搬送部という。搬送部のうち、給紙部１２１と排紙部１２３には、上記の原稿検出用のセンサ（給紙センサ１２４、排紙センサ１２５）がそれぞれ設けられている。これら原稿検出用のセンサによって、原稿４０のジャム検出が可能となる。
【００２９】
また、制御に関する構成としては、搬送部の搬送機構（給紙部１２１、排紙部１２３）および給紙センサ１２４、排紙センサ１２５を制御する制御部１２６、読取部１２２を制御するための読取制御部１２７、読み取った画像を記憶する画像記憶部１２８、現在の読取ページを記憶する現状ページ記憶部１２９、およびユーザが操作を行う操作表示部１３０が備えられている。操作表示部１３０は、例えば、液晶表示装置とタッチパネルとにより構成することができる。あるいは、操作表示部１３０は、表示画面による表示部と、ユーザによる入力操作が可能なキーやボタン等の操作部とに分離して構成されてもよい。
【００３０】
尚、読取制御部１２７は、搬送部に含まれる読取部１２２とともに、スキャナ光学系５０を含む原稿読取装置の読取動作を制御するものとする。
給紙センサ１２４および排紙センサ１２５は、原稿搬送路６３上で原稿４０の位置を検出するとともに、ジャムの発生箇所を特定することを目的として設けられるものである。これら給紙センサ１２４および排紙センサ１２５は、ジャム時に原稿搬送路６３上に原稿４０が残っている場合、その状態を示すジャム検知信号を制御部１２６に通知する。
【００３１】
本発明の特徴部である綴じ具除去部（綴じ具除去装置）１３１は、制御部１２６に接続され、制御部１２６により制御される。図３は、綴じ具除去部１３１の詳細を示すブロック図である。同図において、綴じ具除去部１３１は、ステッピングモータ２０１、ホームポジションセンサ２０２、綴じ具検知手段（金属検知センサ）２０３、加熱手段２０４、温度検知手段２１０、冷却手段２０８、吸着手段２０６から構成され、加熱手段２０４、吸着手段２０６、冷却手段２０８等の負荷はドライバ２０５，２０７，２０９を介して接続されており、各ドライバ２０５，２０７，２０９は制御部１２６の制御信号を受け、所定の駆動電流を各負荷に供給する。
また、ステッピングモータ２０１、ホームポジションセンサ２０２、綴じ具検知手段２０３、加熱手段２０４、温度検知手段２１０、冷却手段２０８、吸着手段２０６については後述する。
【００３２】
図４は、綴じ具除去手段４５の概要を示す図である。同図において、綴じ具除去手段４５は、綴じ具検知手段２０３、加熱手段２０４、吸着手段２０６を備えている。
綴じ具検知手段２０３は、金属検知センサからなり、綴じ具４４の位置を検出する。
加熱手段２０４は、加熱ヒータからなり、検知した綴じ具４４の位置で綴じ具４４を加熱し、変形を起こさせて、綴じ具を原稿４０から外す。
【００３３】
吸着手段２０６は、電磁石からなり、加熱変形した綴じ具４４を磁力により吸着して、綴じ具４４を回収する。
シャフト４７は、綴じ具除去手段４５を貫通しており、綴じ具除去手段の移動機構によりシャフト４７に沿って原稿４０の先端と平行（方向Ａ，Ｂ）に移動可能に設けられている。
【００３４】
綴じ具検知手段２０３は、一対の金属製の検出端子（図５の検出端子２０３ａ，２０３ｂ）を有しており、この検出端子が綴じ具４４に近接することにより綴じ具４４を検出する。検出方法としては、検出端子を発振器に接続し、検出端子間の静電容量の変化を発振周波数の変化に変換して検出する方法や、検出端子を直接綴じ具４４に接触させて、検出端子間の導通の有無により検出する方法がある。
【００３５】
図５は、綴じ具除去手段の移動機構の詳細を示す図である。綴じ具除去手段の移動機構は、ウオームギア４８とラックギア４９の組み合せからなり、ウオームギア４８は長手方向がシャフト４７に平行に設けられている。ウオームギア４８の一端には、ステッピングモータ２０１が取り付けられており、ウオームギア４８を回転駆動する。
ホームポジションセンサ２０２は、綴じ具除去手段４５が接触することにより、綴じ具除去手段４５のホームポジション位置を検知する。
【００３６】
このように、綴じ具除去手段の移動機構は、綴じ具検知手段２０３、加熱手段２０４、吸着手段２０６が綴じ具除去手段４５として一体的に構成され、シャフト４７、ステッピングモータ２０１、ラックギア４９、ウオームギア４８からなる移動手段が綴じ具除去手段４５を移動させる。
【００３７】
図６は、常温状態で複数の原稿を綴じる形状を有し、加熱状態で原稿束を開放する形状に変形する形状記憶合金で構成された綴じ具４４の詳細を示す図である。同図において、綴じ具４４は、形状記憶合金で形成された綴じ部４４ａと、磁性体で構成された吸着部４４ｂの組合せからなり、加熱手段２０４を加熱することにより、綴じ部４４ａを変形させ、原稿４０を綴じた状態から解除された状態に移行させる。吸着部４４ｂは、鉄などの磁性体でできており、通電された吸着手段２０６に吸着されて、綴じ具除去手段４５により移動させられることができる。
例えば、図６（Ａ）は、常温状態で綴じる形状となっている綴じ具４４を示し、図６（Ｂ）は、加熱手段２０４により加熱されて開いた状態となっている綴じ具４４を示している。
【００３８】
図７は、綴じ具除去手段４５の移動を説明する図である。
図７（Ａ）は、綴じ具除去手段４５が初期位置（ホームポジション位置）にある状態を示している。綴じ具除去手段４５を方向Ｂ（ホームポジションから離れる方向）に移動させ、綴じ具４４を検知する位置まで移動する（図７（Ｂ））。
綴じ具検知手段２０３が綴じ具４４を検知すると、所定距離（綴じ具検知手段２０３と加熱手段２０４間の距離）だけ移動して、加熱手段２０４に通電し、綴じ具４４を加熱する（図７（Ｃ））。
【００３９】
綴じ具４４を所定時間だけ加熱した後、加熱手段２０４の通電を遮断し、所定距離（加熱手段２０４と吸着手段２０６間の距離）だけ移動して、吸着手段２０６に通電し、綴じ具４４を吸着する（図７（Ｄ））。
【００４０】
そして、綴じ具４４を回収箱４６まで移動させ、吸着手段２０６の通電を遮断し、綴じ具４４を回収箱４６に回収し（図７（Ｅ））、ホームポジションの位置まで綴じ具除去手段４５を復帰させる（図７（Ｆ））。その後に、原稿搬送処理を開始する。
【００４１】
図８は、回収箱４６の近傍の詳細を示す図である。同図において、冷却ファンからなる冷却手段２０８は、回収箱４６に隣接して設けられており、加熱手段２０４で加熱された綴じ具４４を冷却する。
冷却手段２０８は、装置外部と連通しており、外部の空気を回収箱４６に導入する。また、温度センサからなる温度検知手段２１０は、回収箱４６の温度を接触検知し、綴じ具４４の温度を間接的に検知する。
ここで、回収箱４６は、熱伝導率の高い金属を用いることが好ましく、温度が所定値以上の場合には、回収箱４６に触れないよう注意する旨を操作表示部１３０に表示するのが望ましい。
【００４２】
図９は、綴じ具除去手段４５の移動制御の処理の流れを示すフローチャートである。
原稿が載置され、読み込みのスタートを指示するスタートボタンがオンされると（ステップＳ１００）、綴じ具除去手段４５の位置がホームポジションかどうかホームポジションセンサ２０２により検知して、ホームポジションでなければ（ステップＳ１１０／ＮＯ）、綴じ具除去手段４５がホームポジションセンサ２０２で検知するまでホームポジションに近づく方向（Ａ方向）に移動を続ける（ステップＳ２２０）。
【００４３】
一方、綴じ具除去手段４５がホームポジションにあれば（ステップＳ１１０／ＹＥＳ）、ホームポジションから離れる方向(方向Ｂ）に所定距離（５ｍｍ前後）移動する（ステップＳ１２０）。
そして、綴じ具検知手段２０３により綴じ具４４を検知しないまま、綴じ具除去手段４５がエンド位置（移動上限位置）まで移動してしまった場合（ステップＳ１３０／ＹＥＳ）、綴じ具が無いものと判定して、原稿搬送・読取処理（ステップＳ２２０）に移行する。このエンド位置に到達したかどうかは、初期位置からの移動量をカウントし、所定のカウント量に達したかどうかを判定することでエンド位置への到達判定を行なう。
【００４４】
一方、綴じ具検知手段２０３により綴じ具４４を検知したとき（ステップＳ１３０／ＹＥＳ）、綴じ具検知手段２０３から加熱手段２０４までの距離だけ、ホームポジションから離れる方向（方向Ｂ）に移動する（ステップＳ１４０）。
綴じ具除去手段４５が加熱手段２０４まで移動した後は、加熱手段２０４に通電し、綴じ具４４を加熱する（ステップＳ１５０）。
【００４５】
次に、加熱手段２０４を所定時間だけ加熱した後、加熱手段２０４の通電を遮断し、吸着手段２０６までの距離だけ、ホームポジションから離れる方向（方向Ｂ）に移動する（ステップＳ１６０）。
そして、吸着手段２０６に通電して、綴じ具４４の吸着部を磁力により吸着し（ステップＳ１７０）、回収箱４６に綴じ具除去手段４５を移動し（ステップＳ１８０）、吸着手段２０６の通電を切断し、回収箱４６に綴じ具４４を落下させて回収する（ステップＳ１９０）。
【００４６】
そして、冷却手段２０８の作動を開始するが、冷却手段２０８は一定時間冷却した後に停止させるようにする（ステップＳ２００）。
そして、ホームポジションに綴じ具除去手段４５を復帰させる（ステップＳ２１０）。
これで原稿は、綴じ具により綴じられた状態から開放され搬送可能となったので、原稿搬送・読取処理を開始する（ステップＳ２２０）。
【００４７】
以上のように、実施の形態を構成することにより、原稿の一辺のどの位置に綴じ具が留められていても、容易に検出し、除去し、回収することができる。
また、綴じ具除去装置を原稿読取装置に適用した場合、綴じ具で留められた原稿を容易に綴じ状態から開放して、搬送可能な状態にできるので、綴じ具を外す煩わしさを解消することができる。
【図面の簡単な説明】
【００４８】
【図１】本発明の原稿読取装置の構成例を説明するための図である。
【図２】本発明の原稿読取装置の一実施の形態を説明するためのブロック図である。
【図３】綴じ具除去部の詳細を示すブロック図である。
【図４】綴じ具除去手段の概要を示す図である。
【図５】綴じ具除去手段の移動機構の詳細を示す図である。
【図６】綴じ具の詳細を示す図である。
【図７】綴じ具除去手段の移動を説明する図である。
【図８】回収箱の近傍の詳細を示す図である。
【図９】綴じ具除去手段の移動制御の処理の流れを示すフローチャートである。
【符号の説明】
【００４９】
４０…原稿、４１…支持軸、４２…原稿昇降板、４３…原稿昇降機構、４４…綴じ具、４４ａ…綴じ具の綴じ部、４４ｂ…綴じ具の吸着部、４５…綴じ具除去手段、４６…回収箱、４７…シャフト、４８…ウオームギア、４９…ラックギア、５０…スキャナ光学系、５１，５１ａ，５１ｂ…原稿台、５２…光源、５３…ミラー、５４…スルーレンズ、５５…ＣＣＤ、６０…自動原稿搬送装置、６１…原稿トレイ、６２…排紙トレイ、６３…原稿搬送路、６４…ピックアップローラ、６５…捌きローラ、６６…レジストローラ、６７…搬送ローラ、６８…排紙ローラ、６９…捌き板、７２…原稿押さえ板、７３…切替ゲート、７４…中間トレイ、７５…再給紙搬送路、７６…分岐部、１２０…原稿反転部、１２１…給紙部、１２２…読取部、１２３…排紙部、１２４…給紙センサ、１２５…排紙センサ、１２６…制御部、１２７…読取制御部、１２８…画像記憶部、１２９…現状ページ記憶部、１３０…操作表示部、１３１…綴じ具除去部（綴じ具除去装置）、１３２…排紙トレイ部、２０１…ステッピングモータ、２０２…ホームポジションセンサ、２０３…綴じ具検知手段（金属検知センサ）、２０３ａ，２０３ｂ…検出端子、２０４…加熱手段（加熱ヒータ）、２０５，２０７，２０９…ドライバ、２０６…吸着手段（電磁石）、２０８…冷却手段（冷却ファン）、２１０…温度検知手段（温度センサ）。
【図１】
2008254867.tif 000003
【図２】
2008254867.tif 000004
【図３】
2008254867.tif 000005
【図４】
2008254867.tif 000006
【図５】
2008254867.tif 000007
【図６】
2008254867.tif 000008
【図７】
2008254867.tif 000009
【図８】
2008254867.tif 000010
【図９】
2008254867.tif 000011